(57)【要約】【課題】三次元構造体を組み立てるために互いに組み合わせ可能な、ベースとなる複数の幾何形状の積み木片を提供する。【解決手段】ベースとなる幾何形状の積み木片（１０）は、一様な厚み（５）を有する平らな幾何形状の積み木材（１２）が交互にずれた層を含む。それにより複数の凹凸部（１１・１３）が形成され、他の複数のベースとなる幾何形状の積み木片（２０・３０・４０）と嵌合することにより、所望の様々な結合形状が可能となり、変化に富んだ三次元構造体（３００・４００）を組み立てることができる。幾何形状の積み木片と、それに対応する嵌合するような組立面が変化に富んでいるため、先行技術に比べ、構造上の可能性が広がる。さらに、複数の凹凸部（１１・１３）があることにより、スライド自在な嵌合部を無限に組み合わせることができる。実施の一形態において、完成した構造体は、様々な幾何学的角度の積み木片を使って、独特の審美パターンと相互関係を創り出している。【選択図】図１Ｅ
2008296002.tif 000002
【特許請求の範囲】
【請求項１】
様々のサイズの汎用積み木は、
平行に積み重なった複数の幾何形状によって形成されたブロックを有し、
各幾何形状は、同一であり、かつ一様な厚みを有し、
上記ブロックは、内側の面と外側の面を有し、該内側の面が凹部を形成し、該外側の面が凸部を形成する複数の凹凸の嵌合するような組立面を有し、
上記複数の凹凸の嵌合するような組立面は、少なくとも４つの幾何形状を交互に積み重ねることによって形成され、
上記幾何形状は、長さ方向と幅方向において同じ距離だけずれており、
上記交互の積み重ねは、互いに平行で重なり合った幾何形状を一つおきに有し、かつ、
上記複数の凹凸の嵌合するような組立面によって、第一のブロックから第二のブロックへスライド自在な結合がユーザーにもたらされ、上記スライド自在な結合は、上記第一のブロックの凹部と上記第二のブロックの凸部を嵌合し、上記第一のブロックの凸部と上記第二のブロックの凹部を嵌合することによって形成されることを特徴とする汎用積み木。
【請求項２】
上記幾何形状は、三角形を含むことを特徴とする請求項1に記載の汎用積み木。
【請求項３】
上記幾何形状は、方形を含むことを特徴とする請求項1に記載の汎用積み木。
【請求項４】
上記幾何形状は、距形を含むことを特徴とする請求項1に記載の汎用積み木。
【請求項５】
上記幾何形状は、平行四辺形を含むことを特徴とする請求項1に記載の汎用積み木。
【請求項６】
上記幾何形状は、台形を含むことを特徴とする請求項1に記載の汎用積み木。
【請求項７】
上記幾何形状は、直角三角形を含むことを特徴とする請求項1に記載の汎用積み木。
【請求項８】
上記幾何形状は、正三角形を含むことを特徴とする請求項1に記載の汎用積み木。
【請求項９】
上記幾何形状は、五角形を含むことを特徴とする請求項1に記載の汎用積み木。
【請求項１０】
上記幾何形状は、六角形を含むことを特徴とする請求項1に記載の汎用積み木。
【請求項１１】
上記幾何形状は、八角形を含むことを特徴とする請求項1に記載の汎用積み木。
【請求項１２】
上記幾何形状は、円形を含むことを特徴とする請求項1に記載の汎用積み木。
【請求項１３】
上記幾何形状は、楕円形を含むことを特徴とする請求項1に記載の汎用積み木。
【請求項１４】
上記幾何形状は、星形を含むことを特徴とする請求項1に記載の汎用積み木。
【請求項１５】
上記幾何形状は、十字形を含むことを特徴とする請求項1に記載の汎用積み木。
【請求項１６】
上記幾何形状は、曲面を含むことを特徴とする請求項1に記載の汎用積み木。
【請求項１７】
上記幾何形状は、平らな角を含むことを特徴とする請求項1に記載の汎用積み木。
【請求項１８】
上記幾何形状は、丸角を含むことを特徴とする請求項1に記載の汎用積み木。
【請求項１９】
上記幾何形状は、平らな角及び丸角を含むことを特徴とする請求項1に記載の汎用積み木。
【発明の詳細な説明】
【発明の詳細な説明】
【０００１】
〔技術分野〕
本発明の技術分野は子供の汎用積み木である。本発明は、玩具及び組立セットの分野に関するものである。より具体的には、本発明は、幾何構造を組み立てるためにスライド自在に相互に取り付けることができる複数の着脱式結合積み木に関するものである。
【０００２】
〔背景〕
今日、数多くの子供の積み木商品がある。しかしながら、形状が少なく、嵌合部が一様であり、嵌合するような組立面が限られており、その魅力に乏しい。取り得る形状に変化が少なく、それにより子供の想像力が著しく抑えられている。そのため、角度の選択が最小限の幾何構造のみが組み立てられている。加えて、嵌合部が一様なため、積み木の取り位置がさらに限られている。中間に入る嵌合部の取り位置が少なく、より精密さが要求される構造上の可能性が制限されている。最後になるが、嵌合するような組立面の数が十分にないことから、最終的な組立品の構造上の可能性を無用に制限している。
【０００３】
〔要約〕
本発明は、三次元構造体を組み立てるために互いに組み合わせ可能な、ベースとなる複数の幾何形状の積み木片を提供する。ベースとなる幾何形状の積み木片は、一様な厚みを有する平らな幾何形状の積み木材が交互にずれた層を含む。それにより複数の凹凸部が形成され、他の複数のベースとなる幾何形状の積み木片と嵌合することにより、所望の様々な結合形状が可能となり、変化に富んだ三次元構造体を組み立てることができる。幾何形状の積み木片と、それに対応する嵌合するような組立面が変化に富んでいるため、先行技術に比べ、構造上の可能性が広がる。例えば、一つの積み木を水平方向に１８０度回転することにより、1層あるいは２層の垂直移動傾斜が可能となる。さらに、複数の凹凸部があることにより、スライド自在な嵌合部を無限に組み合わせることができる。実施の一形態において、完成した構造体は、様々な幾何学的角度の積み木片を使って、独特の審美パターンと相互関係を創り出している。
【０００４】
〔課題を解決するための手段〕
本発明に係る汎用積み木は、前記課題を解決するために、様々のサイズの汎用積み木が、平行に積み重なった複数の幾何形状によって形成されたブロックを有し、各幾何形状は、同一であり、かつ一様な厚みを有し、上記ブロックは、内側の面と外側の面を有し、該内側の面が凹部を形成し、該外側の面が凸部を形成する複数の凹凸の嵌合するような組立面を有し、上記複数の凹凸の嵌合するような組立面は、少なくとも４つの幾何形状を交互に積み重ねることによって形成され、上記幾何形状は、長さ方向と幅方向において同じ距離を保ってずれており、上記交互の積み重ねは、互いに平行で重なり合った幾何形状を一つおきに有し、かつ、上記複数の凹凸の嵌合するような組立面によって、第一のブロックから第二のブロックへスライド自在な結合がユーザーにもたらされ、上記スライド自在な結合は、上記第一のブロックの凹部と上記第二のブロックの凸部を嵌合し、上記第一のブロックの凸部と上記第二のブロックの凹部を嵌合することによって形成されることを特徴としている。
【０００５】
前記の構成によれば、一定の厚みを有する平らな幾何形状が交互にずれた層を含むことにより、複数の凹凸部が形成され、他の複数のベースとなる幾何形状と嵌合することにより、所望の様々な結合形状が可能となり、変化に富んだ三次元構造体を組み立てることができる。また、幾何形状と、それに対応する嵌合するような組立面が変化に富んでいるため、構造上の可能性が広がる。さらに、複数の凹凸部があることにより、スライド自在な嵌合部を無限に組み合わせることができる。
【０００６】
本発明に係る汎用積み木では、上記幾何形状は、三角形を含むのが好ましい。
【０００７】
本発明に係る汎用積み木では、上記幾何形状は、方形を含むのが好ましい。
【０００８】
本発明に係る汎用積み木では、上記幾何形状は、距形を含むのが好ましい。
【０００９】
本発明に係る汎用積み木では、上記幾何形状は、平行四辺形を含むのが好ましい。
【００１０】
本発明に係る汎用積み木では、上記幾何形状は、台形を含むのが好ましい。
【００１１】
本発明に係る汎用積み木では、上記幾何形状は、直角三角形を含むのが好ましい。
【００１２】
本発明に係る汎用積み木では、上記幾何形状は、正三角形を含むのが好ましい。
【００１３】
本発明に係る汎用積み木では、上記幾何形状は、五角形を含むのが好ましい。
【００１４】
本発明に係る汎用積み木では、上記幾何形状は、六角形を含むのが好ましい。
【００１５】
本発明に係る汎用積み木では、上記幾何形状は、八角形を含むのが好ましい。
【００１６】
本発明に係る汎用積み木では、上記幾何形状は、円形を含むのが好ましい。
【００１７】
本発明に係る汎用積み木では、上記幾何形状は、楕円形を含むのが好ましい。
【００１８】
本発明に係る汎用積み木では、上記幾何形状は、星形を含むのが好ましい。
【００１９】
本発明に係る汎用積み木では、上記幾何形状は、十字形を含むのが好ましい。
【００２０】
本発明に係る汎用積み木では、上記幾何形状は、曲面を含むのが好ましい。
【００２１】
本発明に係る汎用積み木では、上記幾何形状は、平らな角を含むのが好ましい。
【００２２】
本発明に係る汎用積み木では、上記幾何形状は、丸角を含むのが好ましい。
【００２３】
本発明に係る汎用積み木では、上記幾何形状は、平らな角及び丸角を含むのが好ましい。
【００２４】
〔発明を実施するための最良の形態〕
様々な実施の形態に係る汎用積み木１０・２０・３０・４０が図面に描かれており、方形の汎用積み木１０、距形の汎用積み木２０、三角形の汎用積み木３０、八角形の汎用積み木４０で構成されている。図１３Ｂ、図１４Ｂにおいては、平らな角３１、あるいは丸角の幾何形状の汎用積み木が図示されている。図５Ａ〜５Ｄは、本実施の形態に係る４つの異なる幾何形状の汎用積み木を相互に比較できるように並べており、重なり合った汎用積み木１０・２０・３０・４０の上面図を示している。図６Ａ〜６Ｄは、本実施の形態に係る４つの異なる幾何形状の汎用積み木を相互に比較できるように並べており、重なり合った汎用積み木１０・２０・３０・４０の構造体の上面図を示している。
【００２５】
図１Ａ〜１Ｅは、それぞれ、方形の汎用積み木１０の上面図、左側側面図、正面図、右側側面図、斜視図である。各方形１２はサイズと厚みが同一である。各方形の汎用積み木１０は、いくつかの同一の方形１２を積み重ねて形成されている（好ましくは４つ以上）。その重ね合わせは、方形１２が、一つおきに平面上の長さ方向（Ｘ）と幅方向（Ｙ）において互いに距離５を保ってずれているのが好ましく、交互の位置にある方形１２は、互いに平行で、かつ重なり合っている（つまり、偶数番目の方形１２は平行で重なり合い、奇数番目の方形１２も平行で重なり合っている）。それによって複数の凸部１３と凹部１１が形成される。
【００２６】
図２Ａ〜２Ｅは、それぞれ、距形の汎用積み木２０の上面図、左側側面図、正面図、右側側面図、斜視図である。各距形２２はサイズと厚みが同一である。各距形の汎用積み木２０は、いくつかの同一の距形２２を積み重ねて形成されている（好ましくは４つ以上）。その重ね合わせは、距形２２が、一つおきに平面上の長さ方向（Ｘ）と幅方向（Ｙ）において互いに距離５を保ってずれているのが好ましく、交互の位置にある距形２２は、互いに平行で、かつ重なり合っている（つまり、偶数番目の距形２２は平行で重なり合い、奇数番目の距形２２も平行で重なり合っている）。それによって複数の凸部１３と凹部１１が形成される。
【００２７】
図３Ａ〜３Ｅは、それぞれ、三角形の汎用積み木３０の上面図、左側側面図、正面図、右側側面図、斜視図である。各三角形３３はサイズと厚みが同一である。各三角形の汎用積み木３０は、いくつかの同一の三角形３３を積み重ねて形成されている（好ましくは４つ以上）。その重ね合わせは、三角形３３が、一つおきに平面上の長さ方向（Ｘ）と幅方向（Ｙ）において互いに距離５を保ってずれているのが好ましく、交互の位置にある三角形３３は、互いに平行で、かつ重なり合っている（つまり、偶数番目の三角形３３は平行で重なり合い、奇数番目の三角形３３も平行で重なり合っている）。それによって複数の凸部１３と凹部１１が形成される。
【００２８】
図４Ａ〜４Ｅは、それぞれ、八角形の汎用積み木４０の上面図、左側側面図、正面図、右側側面図、斜視図である。各八角形４４はサイズと厚みが同一である。各八角形の汎用積み木４０は、いくつかの同一の八角形４４を積み重ねて形成されている（好ましくは４つ以上）。その重ね合わせは、八角形４４が、一つおきに平面上の長さ方向（Ｘ）と幅方向（Ｙ）において互いに距離５を保ってずれているのが好ましく、交互の位置にある八角形４４は、互いに平行で、かつ重なり合っている（つまり、偶数番目の八角形４４は平行で重なり合い、奇数番目の八角形４４も平行で重なり合っている）。それによって複数の凸部１３と凹部１１が形成される。
【００２９】
図５Ａ〜５Ｄは、方形の汎用積み木１０、距形の汎用積み木２０、三角形の汎用積み木３０、八角形の汎用積み木４０の上面図であり、形状１２・２２・３３・４４がそれぞれ重なり合った状態を示す。そして、各形状１２・２２・３３・４４の外側の面が凸部１３を形成し、内側の面が凹部１１を形成する。
【００３０】
図６Ａ〜６Ｄは、方形の汎用積み木１０、距形の汎用積み木２０、三角形の汎用積み木３０、八角形の汎用積み木４０の正面図であり、形状１２・２２・３３・４４がそれぞれ重なり合った状態を示す。そして、各形状１２・２２・３３・４４の外側の面が凸部１３を形成し、内側の面が凹部１１を形成する。
【００３１】
図７は、二つの異なる形状の汎用積み木１０・２０（あるいは他の形状）が、方形１０の凸部１３と凹部１１を距形２０の凸部１３と凹部１１とに結合される方法を示す正面図である。
【００３２】
図８は、嵌合された方形の汎用積み木１０を、最初の位置１０ａから次の位置１０ｂへ水平方向にスライドし、汎用積み木１０・２０（あるいは他の形状）の位置を様々に変えることができることを示す斜視図である。
【００３３】
図９は、嵌合された汎用積み木１０・２０（あるいは他の形状）が様々に垂直移動することができることを示す正面図である。
【００３４】
図１０Ａは、距型の汎用積み木２０を水平方向に回転させた状態を正面及び背面から見た斜視図である。図１０Ｂは、同じ距型の汎用積み木２０の正面図（左側）及び背面図（右側）である。回転することで汎用積み木２０の凹凸部の位置が変わり、それによって1層あるいは２層の垂直移動位置に変えることができる。図１０Ｃは、嵌合された汎用積み木１０・２０（あるいは他の形状）の垂直移動位置を示す（位置２０ａ、２０ｂ）。この状態は、距形の汎用積み木２０を垂直方向に移動させるか、あるいは距形の汎用積み木２０を水平方向に１８０度回転させ、方形の汎用積み木１０をそのままの位置に保つことによって得られる。
【００３５】
図１１は、方型の汎用積み木１０を用いて曲線１１０を形成する方法を示す上面図である。このような曲線は、他の形状の汎用積み木を用いても形成することができることが図面から理解できる。
【００３６】
図１２Ａ・１２Ｂは、傾斜構造２００・２０１を示す正面図であり、2層垂直移動２００（図１２Ａ）と１層垂直移動２０１（図１２Ｂ）との伸長差を示す。これは、方形の汎用積み木１０を最初の位置１００から次の位置１０１へ、水平方向に１８０度回転することによって得られる。
【００３７】
図１３Ａ・１３Ｂは、距形の汎用積み木２０、及び三角形の汎用積み木３０の斜視図を示す。それぞれ凸部１３、凹部１１、及び汎用積み木２０・３０ごとの対応する嵌合するような組立面２１０の数を示す。図１３Ｂで示す三角形の汎用積み木３０には平らな角３１があることが分かる。汎用積み木２０・３０の側面の数は、嵌合するような組立面２１０の数に対応する。
【００３８】
図１４Ａ・１４Ｂは、汎用積み木構造３００・４００の多様さを示す斜視図である。角度４１０は、図１４Ｂで示す三角形の汎用積み木３０のように、異なる汎用積み木２０・３０を選択することにより変化しうる。図１４Ｂの三角形の汎用積み木３０には平らな角３１があることが分かる。汎用積み木２０・３０が様々に変化することにより、汎用積み木構造３００・４００が無限にもたらされる。
【００３９】
ここで示したのは、本願発明で開示した積み木によって可能な種々の組み合わせのほんの一部であり、他の組み合わせももちろん可能である。さらに、数種類の積み木の形状を示したが、楕円形、星形、十字形、円形、多角形などの形状ももちろん可能である。
【図面の簡単な説明】
【００４０】
【図１Ａ】本発明の実施の形態を示すものであり、方型の汎用積み木の上面図である。
【図１Ｂ】上記方型の汎用積み木の左側側面図である。
【図１Ｃ】上記方型の汎用積み木の正面図である。
【図１Ｄ】上記方型の汎用積み木の右側側面図である。
【図１Ｅ】上記方型の汎用積み木の斜視図である。
【図２Ａ】本発明の実施の形態を示すものであり、距型の汎用積み木の上面図である。
【図２Ｂ】上記距型の汎用積み木の左側側面図である。
【図２Ｃ】上記距型の汎用積み木の正面図である。
【図２Ｄ】上記距型の汎用積み木の右側側面図である。
【図２Ｅ】上記距型の汎用積み木の斜視図である。
【図３Ａ】本発明の実施の形態を示すものであり、三角形の汎用積み木の上面図である。
【図３Ｂ】上記三角形の汎用積み木の左側側面図である。
【図３Ｃ】上記三角形の汎用積み木の正面図である。
【図３Ｄ】上記三角形の汎用積み木の右側側面図である。
【図３Ｅ】上記三角形の汎用積み木の斜視図である。
【図４Ａ】本発明の実施の形態を示すものであり、八角形の汎用積み木の上面図である。
【図４Ｂ】上記八角形の汎用積み木の左側側面図である。
【図４Ｃ】上記八角形の汎用積み木の正面図である。
【図４Ｄ】上記八角形の汎用積み木の右側側面図である。
【図４Ｅ】上記八角形の汎用積み木の斜視図である。
【図５Ａ】本発明の実施の形態を示すものであり、方型の汎用積み木の各層が重なり合った状態を示す上面図である。
【図５Ｂ】本発明の実施の形態を示すものであり、距型の汎用積み木の各層が重なり合った状態を示す上面図である。
【図５Ｃ】本発明の実施の形態を示すものであり、三角形の汎用積み木の各層が重なり合った状態を示す上面図である。
【図５Ｄ】本発明の実施の形態を示すものであり、八角形の汎用積み木の各層が重なり合った状態を示す上面図である。
【図６Ａ】本発明の実施の形態を示すものであり、方型の汎用積み木の各層が重なり合った状態を示す正面図である。
【図６Ｂ】本発明の実施の形態を示すものであり、距型の汎用積み木の各層が重なり合った状態を示す正面図である。
【図６Ｃ】本発明の実施の形態を示すものであり、三角形の汎用積み木の各層が重なり合った状態を示す正面図である。
【図６Ｄ】本発明の実施の形態を示すものであり、八角形の汎用積み木の各層が重なり合った状態を示す正面図である。
【図７】二つの汎用積み木片を嵌合した状態を示す正面図である。
【図８】最初の位置から次の位置へ、嵌合した汎用積み木を水平方向にスライドした状態を示す斜視図である。
【図９】嵌合した汎用積み木の垂直移動変化を示す正面図である。
【図１０Ａ】本発明の実施の形態を示すものであり、距型の汎用積み木を水平方向に回転させた状態を示す斜視図である。
【図１０Ｂ】汎用積み木の正面図、及び背面図である。
【図１０Ｃ】嵌合した汎用積み木の垂直移動変化を示す正面図、及び背面図である。
【図１１】本発明の実施の形態を示すものであり、方型の汎用積み木を水平方向に移動することにより形成した曲線の上面図である。
【図１２Ａ】２層垂直移動を用いた汎用積み木の傾斜構造を示す正面図である。
【図１２Ｂ】１層垂直移動を用いた汎用積み木の傾斜構造を示す正面図である。
【図１３Ａ】本発明の実施の形態を示すものであり、距型の汎用積み木の嵌合するような組立面の数を示す斜視図である。
【図１３Ｂ】本発明の実施の形態を示すものであり、三角形の汎用積み木の嵌合するような組立面の数を示す斜視図である。
【図１４Ａ】本発明の実施の形態を示すものであり、距型の汎用積み木を嵌合することにより変化に富んだ構造体を形成した状態を示す斜視図である。
【図１４Ｂ】本発明の実施の形態を示すものであり、種々の実施の形態に係る汎用積み木を嵌合することにより変化に富んだ構造体を形成した状態を示す斜視図である。
【符号の説明】
【００４１】
５      距離
１０    方形の汎用積み木
１０ａ  最初の位置
１０ｂ  次の位置
１１    凹部
１２    方形
１３    凸部
２０    距形の汎用積み木
２０ａ、２０ｂ  位置
２２    距形
３０    三角形の汎用積み木
３１    平らな角
３３    三角形
４０    八角形の汎用積み木
４４    八角形
１００、１０１  位置
１１０  曲線
２００・２０１  傾斜構造
２１０  組立面
３００、４００  汎用積み木構造
４１０  角度
【図１Ａ】
2008296002.tif 000003
【図１Ｂ】
2008296002.tif 000004
【図１Ｃ】
2008296002.tif 000005
【図１Ｄ】
2008296002.tif 000006
【図１Ｅ】
2008296002.tif 000007
【図２Ａ】
2008296002.tif 000008
【図２Ｂ】
2008296002.tif 000009
【図２Ｃ】
2008296002.tif 000010
【図２Ｄ】
2008296002.tif 000011
【図２Ｅ】
2008296002.tif 000012
【図３Ａ】
2008296002.tif 000013
【図３Ｂ】
2008296002.tif 000014
【図３Ｃ】
2008296002.tif 000015
【図３Ｄ】
2008296002.tif 000016
【図３Ｅ】
2008296002.tif 000017
【図４Ａ】
2008296002.tif 000018
【図４Ｂ】
2008296002.tif 000019
【図４Ｃ】
2008296002.tif 000020
【図４Ｄ】
2008296002.tif 000021
【図４Ｅ】
2008296002.tif 000022
【図５Ａ】
2008296002.tif 000023
【図５Ｂ】
2008296002.tif 000024
【図５Ｃ】
2008296002.tif 000025
【図５Ｄ】
2008296002.tif 000026
【図６Ａ】
2008296002.tif 000027
【図６Ｂ】
2008296002.tif 000028
【図６Ｃ】
2008296002.tif 000029
【図６Ｄ】
2008296002.tif 000030
【図７】
2008296002.tif 000031
【図８】
2008296002.tif 000032
【図９】
2008296002.tif 000033
【図１０Ａ】
2008296002.tif 000034
【図１０Ｂ】
2008296002.tif 000035
【図１０Ｃ】
2008296002.tif 000036
【図１１】
2008296002.tif 000037
【図１２Ａ】
2008296002.tif 000038
【図１２Ｂ】
2008296002.tif 000039
【図１３Ａ】
2008296002.tif 000040
【図１３Ｂ】
2008296002.tif 000041
【図１４Ａ】
2008296002.tif 000042
【図１４Ｂ】
2008296002.tif 000043